(57)【要約】【課題】回路基板のはんだ付け作業やはんだ付け修正作業の作業性をより一層向上させる。【解決手段】基板固定部材１０に固定された回路基板２が、開口部２６，２７を有するマスク部材２０で覆われて、位置調整部である、回路基板２が固定された回転台１２、または、開口部２６，２７を有するマスク板２２の位置を調整して、回路基板２と開口部２６，２７の相対位置関係を調整したときに、はんだ付け作業が可能な大きさを有する開口部２６，２７の移動軌跡が回路基板２の全体を網羅するため、回路基板２の中のはんだ付けを行う位置に開口部２６，２７の位置を合わせることによって、回路基板２の中のはんだ付けを行う箇所のみを露出させてはんだ付けやはんだ付けの修正を行う。【選択図】図１
2014082308.tif 000002
【特許請求の範囲】
【請求項１】
回路基板を固定する基板固定部材と、
前記回路基板を覆う、開口部を有するマスク部材と、
前記回路基板と前記開口部との相対位置関係を調整する位置調整部を備えるはんだ付け用マスク治具において、
前記開口部は、前記開口部を通して前記回路基板にはんだ付け作業が可能な大きさを有し、前記位置調整部によって前記回路基板と前記開口部との相対位置関係を調整したときに、前記開口部の移動軌跡が前記回路基板全体を網羅することを特徴とするはんだ付け用マスク治具。
【請求項２】
前記位置調整部は、前記基板固定部材のみを回転するものであることを特徴とする請求項１に記載のはんだ付け用マスク治具。
【請求項３】
前記位置調整部は、前記マスク部材のみを回転するものであることを特徴とする請求項１に記載のはんだ付け用マスク治具。
【請求項４】
前記位置調整部は、前記基板固定部材と、前記マスク部材と、をそれぞれ個別に回転するものであることを特徴とする請求項１に記載のはんだ付け用マスク治具。
【請求項５】
前記開口部は円形であることを特徴とする請求項１から請求項４のいずれか１項に記載のはんだ付け用マスク治具。
【請求項６】
前記マスク部材は、前記開口部を複数有するとともに、前記複数の開口部が、各々の開口部を覆う蓋を有することを特徴とする請求項１から請求項５のいずれか１項に記載のはんだ付け用マスク治具。
【請求項７】
前記蓋は、前記複数の開口部の開口面に沿って摺動することを特徴とする請求項６に記載のはんだ付け用マスク治具。
【請求項８】
前記マスク部材は、半径ｒの円形状の開口部を２個有し、
前記開口部のうち一方は、前記マスク部材の中心Ｏから距離ｄ１の位置を中心Ｏ１として、
前記開口部のうち他方は、前記マスク部材の中心Ｏから前記距離ｄ１よりも小さい距離ｄ２の位置を中心Ｏ２として、
前記２個の開口部は、前記マスク部材の中に、前記中心Ｏと前記中心Ｏ１と前記中心Ｏ２とが１直線上にあって、ｄ１−ｒ≦ｄ２＋ｒ、および、ｄ２≦ｒの関係をともに満足する位置に設けられることを特徴とする請求項１から請求項７のいずれか１項に記載のはんだ付け用マスク治具。
【発明の詳細な説明】
【技術分野】
【０００１】
この発明は、回路基板への部品のはんだ付けや、部品がはんだ付けされた回路基板のはんだ付けの修正を行う際に使用するはんだ付け用マスク治具に関するものである。
【背景技術】
【０００２】
プリント基板等の回路基板に電子部品やリード部品を取り付ける際には、はんだ付けを行うのが一般的である。そして、はんだ付けを行う際には、作業性を高めるために、はんだ付けを行う箇所のみを露出させて、他の部位をマスクするはんだ付け治具が用いられている。（例えば、特許文献１参照）
【先行技術文献】
【特許文献】
【０００３】
【特許文献１】特開２００９−１３０２６１号公報
【発明の概要】
【発明が解決しようとする課題】
【０００４】
特許文献１に記載された回路基板のはんだ付け用治具では、はんだ付け箇所のみが露出するように、回路基板上に多数のピース状のマスク部品を配置して、こうして、マスク部品を配置した後ではんだ付け作業を行っている。
【０００５】
したがって、はんだ付け作業を行う際に、作業対象部位の形状に応じたマスク部品を選択して、選択された多数のマスク部品を回路基板上に、作業対象部位のみが露出するように、適切に配置する必要があるため、作業の準備に多くの時間を必要とし、これによって作業性が低下するという問題があった。
【０００６】
本発明は上記事情に鑑みなされたもので、短時間で確実にはんだ付け作業やはんだ付け修正作業を行うことができる、作業性の高いはんだ付け用マスク治具を提供することを目的とする。
【課題を解決するための手段】
【０００７】
本発明に係るはんだ付け用マスク治具は、回路基板のはんだ付け作業やはんだ付け修正作業の作業性をより一層向上させることができるものである。
【０００８】
すなわち、本発明に係るはんだ付け用マスク治具は、回路基板を固定する基板固定部材と、前記回路基板を覆う、開口部を有するマスク部材と、前記回路基板と前記開口部との相対位置関係を調整する位置調整部を備えるはんだ付け用マスク治具において、前記開口部が、前記開口部を通して前記回路基板にはんだ付け作業が可能な大きさを有し、前記位置調整部によって前記回路基板と前記開口部との相対位置関係を調整したときに、前記開口部の移動軌跡が前記回路基板全体を網羅することを特徴とする。
【０００９】
このように構成されたはんだ付け用マスク治具によれば、基板固定部材に固定された回路基板が開口部を有するマスク部材で覆われて、位置調整部が、回路基板と開口部の相対位置関係を調整したときに、開口部を通してはんだ付け作業が可能な大きさを有する開口部の移動軌跡が回路基板全体を網羅するため、回路基板と開口部の相対位置関係を調整することによって、回路基板の中の任意の位置に開口部の位置を合わせることができ、これによって、回路基板の中のはんだ付けを行う箇所のみを容易に外部に露出できるため、はんだ付けを行う際に、不要な素子へのはんだごての接触や、回路基板へのごみの付着を防止することができるとともに、はんだ付けやはんだ付け修正の作業性を向上させることができる。
【００１０】
本発明に係るはんだ付け用マスク治具は、さらに、前記位置調整部が、前記固定部材のみを回転するものであることを特徴とする。
【００１１】
このように構成されたはんだ付け用マスク治具によれば、位置調整部が基板固定部材を回転して、基板固定部材に固定された回路基板の中のはんだ付けを行う位置を、マスク部材の中に設けられた開口部の位置に合わせるため、はんだ付け用マスク治具の外部から、はんだ付けを行う位置、あるいは、はんだ付けの修正を行う位置に対してはんだごてを容易に当てることができ、これによって、はんだ付けやはんだ付け修正の作業性を向上させることができる。
【００１２】
本発明に係るはんだ付け用マスク治具は、さらに、前記位置調整部が、前記マスク部材のみを回転するものであることを特徴とする。
【００１３】
このように構成されたはんだ付け用マスク治具によれば、位置調整部がマスク部材を回転して、マスク部材に設けられた開口部の位置を、基板固定部材に固定された回路基板の中のはんだ付けを行う位置に合わせるため、はんだ付け作業やはんだ付け修正作業の作業性を向上させることができる。
【００１４】
本発明に係るはんだ付け用マスク治具は、さらに、前記位置調整部が、前記基板固定部材と、前記マスク部材と、をそれぞれ個別に回転するものであることを特徴とする。
【００１５】
このように構成されたはんだ付け用マスク治具によれば、はんだ付けを行う作業者と回路基板との位置関係に応じて、回路基板が固定された基板固定部材、もしくは、開口部が設けられたマスク部材のいずれか一方、もしくは双方を回転させることによって、作業者がはんだ付け作業やはんだ付け修正作業を行いやすい姿勢で作業ができるように、回路基板の中のはんだ付けを行う位置にマスク部材に設けられた開口部の位置を容易に合わせることができるため、はんだ付け作業やはんだ付け修正作業の作業性をより一層向上させることができる。
【００１６】
本発明に係るはんだ付け用マスク治具は、さらに、前記開口部が円形であることを特徴とする。
【００１７】
このように構成されたはんだ付け用マスク治具によれば、開口部が円形であることにより、回路基板に対して、３６０°の方向の中から、作業性の高い方向を選択して作業を行うことができる。
【００１８】
本発明に係るはんだ付け用マスク治具は、さらに、前記マスク部材が、前記開口部を複数有するとともに、前記複数の開口部が、各々の開口部を覆う蓋を有することを特徴とする。
【００１９】
このように構成されたはんだ付け用マスク治具によれば、複数設けられた開口部のうち、はんだ付け作業やはんだ付け修正作業に必要な開口部以外を蓋によって覆うことができるため、固定部材に固定された回路基板の中ではんだ付け作業やはんだ付け修正作業に不要な開口部が隠されることによって、はんだごてのこて先から作業部位の周囲へのはんだの飛散を防止することができる。
【００２０】
本発明に係るはんだ付け用マスク治具は、さらに、前記蓋が、前記複数の開口部の開口面に沿って摺動することを特徴とする。
【００２１】
このように構成されたはんだ付け用マスク治具によれば、蓋が、複数の開口部の開口面に沿って摺動するため、蓋の開閉をより一層容易に行うことができ、これによって、はんだ付け作業やはんだ付け修正作業の作業性をより一層向上させることができる。
【００２２】
本発明に係るはんだ付け用マスク治具は、さらに、前記マスク部材は、半径ｒの円形状の開口部を２個有し、前記開口部のうち一方は、前記マスク部材の中心Ｏから距離ｄ１の位置を中心Ｏ１として、前記開口部のうち他方は、前記マスク部材の中心Ｏから前記距離ｄ１よりも小さい距離ｄ２の位置を中心Ｏ２として、前記２個の開口部は、前記マスク部材の中に、前記中心Ｏと前記中心Ｏ１と前記中心Ｏ２とが１直線上にあって、ｄ１−ｒ≦ｄ２＋ｒ、および、ｄ２≦ｒの関係をともに満足する位置に設けられることを特徴とする。
【００２３】
このように構成されたはんだ付け用マスク治具によれば、マスク部材、もしくは基板固定部材のうち少なくとも一方を回転したときに、基板固定部材に固定された、対角線長が２（ｄ１＋ｒ）以下のサイズの回路基板の任意の位置を、開口部を通して外部に露出することができるため、これによって、はんだ付けを行う際に、不要な素子へのはんだごての接触や、回路基板へのごみの付着を防止することができるとともに、はんだ付けやはんだ付け修正の作業性を向上させることができる。
【発明の効果】
【００２４】
本発明に係るはんだ付け用マスク治具によれば、短時間で確実に、回路基板に対するはんだ付け作業やはんだ付け修正作業を行うことができるという効果が得られる。
【図面の簡単な説明】
【００２５】
【図１】本発明に係るはんだ付け用マスク治具の第１実施例の全体構成を示す図である。
【図２】本発明に係るはんだ付け用マスク治具の第１実施例の外観の一部を示す図である。
【図３】本発明に係るはんだ付け用マスク治具の側面図である。
【図４】（ａ）は本発明に係るはんだ付け用マスク治具に設けられた開口部のレイアウトを説明する図である。（ｂ）は外側の開口部の移動軌跡について説明する図である。（ｃ）は内側の開口部の移動軌跡について説明する図である。
【図５】本発明に係るはんだ付け用マスク治具の蓋の寸法要件について説明する図である。
【図６】本発明に係るはんだ付け用マスク治具の蓋の別の構成について説明する図である。
【図７】本発明に係るはんだ付け用マスク治具の第２実施例の全体構成を示す図である。
【発明を実施するための形態】
【００２６】
以下、本発明に係るはんだ付け用マスク治具の実施例について、図１から図５を参照して説明する。
【実施例１】
【００２７】
［発明の構成説明］
まず、図１から図３を用いて、本発明に係るはんだ付け用マスク治具の構成を説明する。図１は、本発明を用いたはんだ付け用マスク治具１００の外観を示すものである。
【００２８】
本願発明を用いたはんだ付け用マスク治具１００は、図１に示すように、電子部品が実装された回路基板２を固定する基板固定部材１０と、基板固定部材１０の上部に重ねられた、回路基板２の基板の面と平行な方向に移動可能な同じ面積を有する円形の開口部２６，２７が備えられたマスク部材２０と、はんだ付け作業やはんだ付け修正作業によって発生したはんだカスを収容するベース部３０とから構成されている。なお、基板固定部材１０，マスク部材２０，およびベース部３０は、はんだごてが近接した状態で使用されるため、はんだごてが発する熱から守るために、金属または耐熱性のある樹脂によって形成されている。
【００２９】
前記基板固定部材１０は、回路基板２を載置して、載置された回路基板２を基板の面と平行な面内で回転可能な円形板状の回転台１２（位置調整部）と、回転台１２をその中心位置の周りに回転可能に支持する、回転台１２の円周上の４箇所に設けられた回転台支持部１４と、回転台支持部１４が固定される支持台１６と、からなる。なお、回転台支持部１４は、回転台１２の回転方向に沿った溝部を有しており、この溝部によって、回転台１２を４方向から回転可能に支持している。
【００３０】
そして、回転台１２の中で回路基板２が載置される部位には、回路基板２の最外部を把持する回路基板固定部１７，１７が設けられており、回路基板２の裏面側が接する面には、回路基板２を載置するための回路基板置台部１８が設けられている。そして、回路基板置台部１８には、はんだ付け作業やはんだ付け修正作業を行った際に発生するはんだカスを基板固定部材１０の下方に落下させるための微細な穴が設けられている。
【００３１】
なお、支持台１６の端部には、図１に示すように蝶番１９の一方の取付片１９ａが固定されている。そして、この蝶番１９の他方の取付片１９ｂは、後述するように、マスク板支持台２５に固定される。また、支持台１６には、回転台１２を回転させたときに、回路基板置台部１８が移動する領域を網羅する貫通穴１６ａが設けられている。この貫通穴１６ａは、後述するように、回路基板置台部１８から回路基板２を取り外したとき、あるいは裏返したときに、はんだ付け作業やはんだ付け修正作業によって発生して、回路基板２の上に溜まったはんだカスを、回路基板置台部１８に設けた微細な穴と貫通穴１６ａを通して、ベース部３０に落下させて、ベース部３０に蓄えるために設けたものである。
【００３２】
また、前記マスク部材２０は、２つの円形の開口部２６，２７を有する円形板状のマスク板２２（位置調整部）と、マスク板２２を回転可能に支持する、マスク板２２の円周上の４箇所に設けられたマスク板支持部２４と、マスク板支持部２４が固定されるマスク板支持台２５と、開口部２６，２７の上部に設けられて、２つの開口部２６，２７のうち一方の開口部２６または２７の開口面を覆う蓋２８と、からなる。なお、マスク板支持台２５には、マスク板２２を回転させたときに、開口部２６，２７が移動する領域を網羅する貫通穴２５ａが設けられている。また、マスク板支持部２４は、マスク板２２の回転方向に沿った溝部を有しており、この溝部によって、マスク板２２を４方向から回転可能に支持している。
【００３３】
なお、蓋２８は、蓋支持部２９，２９を介してマスク板２２に支持されることによって、開口部２６，２７の開口面に沿って移動可能に設けられている。
【００３４】
さらに、前記ベース部３０は、支持台１６を支える外枠部３２と、外枠部３２の内部に収容されて、回路基板置台部１８を通して落下したはんだカスを受け止めて集積する、引き出し式のはんだカス受部３４とからなる。なお、外枠部３２の上面には、はんだカスがはんだカス受部３４に落下するように網目部３６が設けられている。また、はんだカス受部３４には取っ手３８が設けられており、はんだカス受部３４にはんだカスが溜まったら、取っ手３８を持ってはんだカス受部３４を引き出して、集積されたはんだカスを取り出して廃棄することができる。
【００３５】
次に、図２を用いて、基板固定部材１０とマスク部材２０の接続形態について説明する。基板固定部材１０を構成する支持台１６には、蝶番１９の一方の取付片１９ａが固定されており、マスク部材２０を構成するマスク板支持台２５には、蝶番１９の他方の取付片１９ｂが固定されている。そして、マスク部材２０は、図２に示すように、蝶番１９を支点として回動可能に構成されている。
【００３６】
なお、蝶番１９を支点としてマスク部材２０を回動させて、基板固定部材１０の上に下ろしたときに、マスク板支持台２５の裏面は、支持台１６の上面に４箇所に設けられた回転台支持部１４の上面によって支持されている。なお、マスク部材２０を基板固定部材１０の上に重ねたとき、回路基板置台部１８に載置した回路基板２に実装された電子部品が、マスク板支持台２５に接触しないように、回路基板置台部１８とマスク板支持台２５との間隔が、回路基板２に実装されると想定される最も背の高い電子部品の高さ以上の間隔を有するように、回転台支持部１４の高さが設定されている。
【００３７】
次に、図３を用いて、はんだ付け用マスク治具１００の側面部の構成について説明する。
図３は、はんだ付け用マスク治具１００を取っ手３８側からみた側面図である。はんだ付け用マスク治具１００は、図３に示すように、ベース部３０の上部に基板固定部材１０が重ねられて、基板固定部材１０の上部にマスク部材２０が重ねられている。
【００３８】
このとき、基板固定部材１０を構成する支持台１６が、ベース部３０を構成する外枠部３２の上面に重なるように積載されており、マスク部材２０を構成するマスク板支持台２５が、基板固定部材１０を構成する４つの回転台支持部１４の上に重なることによって保持されている。
【００３９】
次に、図４（ａ）から図４（ｃ）を用いて、開口部２６，２７の寸法要件について説明する。図４（ａ）から図４（ｃ）は、はんだ付け用マスク治具１００のうち、マスク板２２の上面図を示している。
【００４０】
図４（ａ）に示すように、２つの開口部２６，２７はともに半径ｒの円形状である。そして、開口部２６は、半径Ｒのマスク板２２の中心Ｏからの距離ｄ１の位置に中心Ｏ１が位置するように設けられている。すなわち、以下に示す（式１）を満たすものとする。
ｄ１＋ｒ＜Ｒ      （式１）
【００４１】
また、開口部２７は、半径Ｒのマスク板２２の中心Ｏからの距離ｄ２の位置に中心Ｏ２が位置するように設けられている。なお、開口部２７は開口部２６よりも、マスク板２２の内周側に設けられるものとする。すなわち、以下に示す（式２）を満たすものとする。
ｄ１＞ｄ２          （式２）
【００４２】
そして、２つの開口部２６，２７は、開口部２６の中心Ｏ１と，開口部２７の中心Ｏ２と、マスク板２２の中心Ｏと、が一直線上に位置するレイアウトで配置されている。
【００４３】
ここで、マスク板２２を中心Ｏの周りに回転したときに、開口部２６はマスク板２２の回転に応じて移動するが、そのときに開口部２６が描く移動軌跡は、図４（ｂ）に示すドーナツ状の領域Ｒ１を形成する。なお、領域Ｒ１の内側はｄ１−ｒを半径とする円形をなし、領域Ｒ１の外側はｄ１＋ｒを半径とする円形をなす。
【００４４】
また、マスク板２２を中心Ｏの周りに回転したときに、開口部２７はマスク板２２の回転に応じて移動するが、そのときに開口部２７が描く移動軌跡は、図３（ｃ）に示す円形の領域Ｒ２を形成する。なお、領域Ｒ２の半径はｄ２＋ｒとなる。
【００４５】
ここで、開口部２６，２７は、以下に示す（式３），（式４）の条件をともに満足するように配置されるものとする。
ｄ１−ｒ≦ｄ２＋ｒ    （式３）
ｄ２≦ｒ              （式４）
【００４６】
（式３）は、開口部２６の移動によって形成される領域Ｒ１と、開口部２７の移動によって形成される領域Ｒ２とが、隙間なく繋がることを表している。
【００４７】
（式４）は、開口部２７が、マスク板２２の中心Ｏにオーバーラップするように配置されていることを表している。
【００４８】
そして、（式１）から（式４）の条件がともに満足されるとき、マスク板２２を中心Ｏの周りに回転したときに、開口部２６が描く移動軌跡によって形成される領域Ｒ１と、開口部２７が描く移動軌跡によって形成される領域Ｒ２とは隙間なく繋がって、ｄ１＋ｒを半径とする円形の領域が形成される。
【００４９】
ここで、マスク板２２が設置されたマスク部材２０の下方に置かれた回転台１２の中央に回路基板２を固定したとき、回路基板２が長方形状であると仮定すると、その最大対角線長が２（ｄ１＋ｒ）以下のサイズであれば、回路基板２の中の任意の点を、開口部２６、または開口部２７を通して外部に露出させることができる。これによって、外部から回路基板２の中の任意の点に対して、開口部２６または開口部２７を通してはんだごてを当てることができるため、はんだ付け作業やはんだ修正作業を行うことができる。
【００５０】
次に、図５を用いて、蓋２８の寸法要件について説明する。図５は、はんだ付け用マスク治具１００のうち、マスク板２２の上面図を示している。
【００５１】
図５において、蓋２８は、マスク板２２の上面側に設置されており、蓋２８の両端は蓋支持部２９に支持されて、蓋支持部２９の設置方向に沿って、図示する矢印Ａの方向に摺動可能となっている。そして、蓋２８は長方形状を有し、摺動方向に直交する方向の辺長がｗ１、摺動方向の辺長がｗ２である。
【００５２】
蓋２８は、蓋支持部２９に沿って摺動することにより、開口部２６，２７を塞ぐ役割を果たす。したがって、蓋２８は、開口部２６，２７を隙間なく塞ぐように、その辺長ｗ１，ｗ２が、以下に示す（式５），（式６）をともに満足するサイズを有している。
ｗ１≧２ｒ      （式５）
ｗ２≧２ｒ      （式６）
【００５３】
（式５）は、蓋２８の摺動方向に直交する方向の辺長ｗ１が開口部２６，２７の直径よりも大きいことを表し、（式６）は、蓋２８の摺動方向に沿う方向の辺長ｗ２が開口部２６，２７の直径よりも大きいことを表している。
【００５４】
［発明の作用説明］
次に、本願発明を用いたはんだ付け用マスク治具１００の作用について、はんだ付け修正作業を行う場合を例にあげて、図２，図３を用いて、順を追って説明する。
【００５５】
まず、はんだ付け修正作業を行う作業者は、はんだ付け作業が完了した回路基板２を、回路基板置台部１８に載置する。このとき、作業者は、図２に示すように、蝶番１９を支点としてマスク部材２０を持ち上げて、回路基板置台部１８の両端に設けられた回路基板固定部１７，１７に、回路基板２の両端部を引っ掛けて固定する。このとき、回路基板２は、はんだ付けの修正を行う面が上側に向けて固定される。
【００５６】
回路基板２が固定されると、持ち上げられたマスク部材２０が下ろされて、図３に示す状態に重ねられる。このとき、マスク板２２に設けられた開口部２６，２７を通して、回路基板２の一部が、外部に露出した状態となる。
【００５７】
開口部２６，２７は、ともに円形状となっているため、作業者は、３６０°いずれの方向からでも、開口部２６，２７を通して露出した回路基板２の状態を目視することができる。
【００５８】
そして、作業者は、回路基板２を覗き込みながら、回転台１２、または、マスク板２２のいずれか一方、もしくは両方を回転させて、回路基板２上のはんだ付けの状態をチェックする。
【００５９】
このとき、図２に示すように、回転台１２の直径は支持台１６のサイズよりも大きくなっており、また、マスク板２２の直径はマスク板支持台２５のサイズよりも大きくなっているため、支持台１６の辺縁から突出した回転台１２の端部、または、マスク板支持台２５の辺縁から突出したマスク板２２の端部に手をかけることによって、回転台１２およびマスク板２２を容易に回転させることができる。
【００６０】
そして、回路基板２の中にはんだ付けの修正が必要な箇所を発見したとき、作業者は、回転台１２、または、マスク板２２のいずれか一方、もしくは両方を回転させて、はんだ付けの修正が行いやすい位置に開口部２６または開口部２７を移動させ、その開口部２６、または開口部２７を通して、回路基板２の中のはんだ付けの修正を要する箇所が露出するようにする。
【００６１】
その後、蓋２８を摺動させて、開口部２６，２７のうち、はんだ付けの修正作業に不要な開口部を塞ぐ。
【００６２】
そして、作業者は、蓋２８に覆われていない、開口部２６、または開口部２７からはんだごてを差し入れて、回路基板２の上で、必要なはんだ付けの修正作業を行う。
【００６３】
はんだ付けの修正作業が終了すると、回転台１２、または、マスク板２２のいずれか一方、もしくは両方を再び回転させて、回路基板２の中のはんだ付けの修正が必要な箇所を探索する。この工程は、回路基板２の全体の確認が完了するまで行われる。
【００６４】
そして、回路基板２の全体の確認、およびはんだ付けの修正が完了すると、マスク部材２０が蝶番１９を支点として持ち上げられる。そして、回路基板２が回路基板固定部１７から取り外される。
【００６５】
次に、回路基板２を裏返しに固定して、同様にしてはんだ付けの状態確認と、はんだ付けの修正作業が行われる。
【００６６】
このとき、回路基板２の反対側の面を上に向けて回路基板置台部１８に載置して回路基板固定部１７に取り付ける際、回路基板２を裏返したときに、はんだ付け修正作業によって発生して、回路基板２の上に溜まったはんだカスが、回路基板置台部１８の微細な穴と、支持台１６に設けられた貫通穴１６ａと、外枠部３２に設けられた網目部３６と、を通過して、はんだカス受部３４に落下する。
【００６７】
回路基板２の反対側の面が上に向けて固定されると、持ち上げられたマスク部材２０が再び下ろされて、回路基板２の反対側の面に対して、先に説明したのと同様にして、はんだ付けの状態確認と、はんだ付けの修正作業が行われる。その内容は、先に説明した通りであるため、説明は省略する。
【００６８】
そして、回路基板２の全体の確認、および、はんだ付けの修正作業が完了すると、作業者は、マスク部材２０を蝶番１９を支点として持ち上げて、回路基板２を回路基板固定部１７から取り外す。このとき、回路基板２に溜まったはんだカスは、回路基板２を回路基板置台部１８の上で裏返しにすることによって、はんだカス受部３４に落下する。
【００６９】
以下、他の回路基板２に対しても同様にして、はんだ付けの状態確認と、はんだ付けの修正作業が行われる。
【００７０】
なお、作業に伴って、はんだカス受部３４にははんだカスが溜まるため、適宜、取っ手３８を持ってはんだカス受部３４を引き出して、集積されたはんだカスを取り出して破棄する。
【００７１】
以上、説明したように、実施例１に係るはんだ付け用マスク治具１００によれば、基板固定部材１０に固定された回路基板２が、開口部２６，２７を有するマスク部材２０で覆われて、位置調整部である、回路基板２が固定された回転台１２の位置、または、開口部２６，２７を有するマスク板２２の位置を調整して、回路基板２と開口部２６，２７の相対位置関係を調整したときに、はんだ付け作業が可能な大きさを有する開口部２６，２７の移動軌跡が回路基板２の全体を網羅するため、回路基板２の中の任意の位置に開口部２６，２７の位置を合わせることができ、これによって、回路基板２の中のはんだ付けを行う箇所のみを容易に露出できるため、はんだ付けを行う際の、不要な素子へのはんだごての接触や、回路基板へのごみの付着を防止することができるため、はんだ付けやはんだ付け修正の作業性を向上させることができる。
【００７２】
また、実施例１に係るはんだ付け用マスク治具１００によれば、はんだ付けを行う作業者と回路基板２との位置関係に応じて、回路基板２が固定された基板固定部材１０、もしくは、開口部２６，２７が設けられたマスク部材２０のいずれか一方、もしくは双方を回転させることによって、作業者がはんだ付け作業やはんだ付け修正作業を行いやすい姿勢で作業ができるように、回路基板２の中のはんだ付けを行う位置にマスク部材２０に設けられた開口部２６，２７の位置を容易に合わせることができるため、はんだ付け作業やはんだ付け修正作業の作業性をより一層向上させることができる。
【００７３】
また、実施例１に係るはんだ付け用マスク治具１００によれば、開口部２６，２７が円形であるため、回路基板２に対して、３６０°の方向の中から、作業性の高い方向を選択して作業を行うことができる。
【００７４】
また、実施例１に係るはんだ付け用マスク治具１００によれば、蓋２８が、複数の開口部２６，２７の開口面に沿って摺動するため、蓋２８の開閉を容易に行うことができ、これによって、はんだ付け作業やはんだ付け修正作業の作業性をより一層向上させることができる。
【００７５】
また、実施例１に係るはんだ付け用マスク治具１００によれば、マスク部材２０が、半径ｒの円形状の２つの開口部２６，２７を有し、そのうち開口部２６は、マスク部材２０の中心Ｏから距離ｄ１の位置を中心Ｏ１として、開口部２７は、マスク部材の中心Ｏから距離ｄ１よりも小さい距離ｄ２の位置を中心Ｏ２として、２個の開口部２６，２７は、マスク部材２０の中に、マスク部材２０の中心Ｏと開口部２６の中心Ｏ１と開口部２７の中心Ｏ２とが１直線上にあって、ｄ１−ｒ≦ｄ２＋ｒ、および、ｄ２≦ｒの関係をともに満足する位置に設けられるため、マスク部材２０、もしくは基板固定部材１０の少なくとも一方を回転したときに、基板固定部材１０に固定された、対角線長が２（ｄ１＋ｒ）以下のサイズの回路基板２の任意の位置を、開口部２６，２７を通して外部に露出することができ、これによって、はんだ付けを行う際に、不要な素子へのはんだごての接触や、回路基板２へのごみの付着を防止することができるとともに、はんだ付けやはんだ付け修正の作業性を向上させることができる。
【００７６】
なお、前記した実施例では、１つの蓋２８が、開口部２６，２７の開口面に沿って摺動する構成としたが、開口部２６，２７の各々に対して、それぞれ個別の蓋を設けてもよい。
【００７７】
具体的には、図６に示すように、開口部２６の開口面に沿って摺動する蓋２８ａと、開口部２７の開口面に沿って摺動する蓋２８ｂを設けても、実施例１と同様の作用効果を発揮することができる。なお、このとき、蓋２８ａは、その摺動方向に沿って設けられた蓋支持部２９ａ,２９ｂによって支持される。また、蓋２８ｂは、その摺動方向に沿って設けられた蓋支持部２９ｂ,２９ｃによって支持される。
【００７８】
このような実施形態によれば、複数設けられた開口部２６，２７のうち、はんだ付け作業やはんだ付け修正作業に必要な開口部以外の開口部を、蓋２８ａ、または蓋２８ｂによって覆うことができるため、基板固定部材１０に固定された回路基板２の中で、はんだ付け作業やはんだ付け修正作業に不要な開口部２６または２７が隠されることによって、はんだごてのこて先から作業部位の周囲へのはんだの飛散を防止することができる。
【００７９】
なお、実施例１において、回路基板２を取り付ける回路基板置台部１８に設けられた回路基板固定部１７は、その取付位置の寸法が固定されているため、所定のサイズの回路基板２のみを取り付けられるようになっているが、回路基板固定部１７，１７の間隔を変更できるような構成とすることによって、サイズの異なる回路基板２を取り付けられるようにすることも可能である。
【００８０】
このとき、回路基板固定部１７，１７の間隔を調整可能とするには、例えば、一方の回路基板固定部１７、もしくは両方の回路基板固定部１７，１７を、それぞれ、回転台１２の回転面内で、回路基板固定部１７に直交する方向に移動可能とすればよい。そして、実施例１の構成にあっては、対角線長が２（ｄ１＋ｒ）以下のサイズの回路基板２の任意の位置を、開口部２６，２７を通して外部に露出することができるようになっているため、回路基板置台部１８に載置する回路基板２の寸法を可変にするときには、載置する回路基板２の最大寸法に基づいて、開口部２６，２７の寸法と設置位置を設計する必要がある。
【００８１】
すなわち、最大寸法の回路基板２の対角線長が２（ｄ１＋ｒ）以上となって、なおかつ（式１）を満足するようなｄ１とｒを決定し、さらに、ｄ１よりも小さいｄ２を、（式３），（式４）の条件を満足するように決定して、こうして決定したｄ１，ｄ２，ｒに基づいて、マスク板２０の中心Ｏから距離ｄ１の位置に、中心Ｏ１、半径ｒの開口部２６を設置し、マスク板２の中心Ｏから直線ＯＯ１上の距離ｄ２の位置に、中心Ｏ２、半径ｒの開口部２７を設置すればよい。
【００８２】
また、実施例１において、回転台支持部１４とマスク板支持部２４は、それぞれ溝部を有する部材で構成したが、構成はその限りではなく、例えば、溝部に相当する部分に、回転台１２、およびマスク板２２と同一方向に回転可能なローラーを設置して、回転台１２とマスク板２２の端面を、それぞれ、このローラーに接するように配置することによって、回転台１２とマスク板２２を支持し、回転させることも可能である。
【００８３】
次に、本発明に係るはんだ付け用マスク治具の第２の実施例について、図７を用いて説明する。
【実施例２】
【００８４】
［実施例２の構成説明］
図７は、本発明を用いたはんだ付け用マスク治具１１０の外観を示すものである。はんだ付け用マスク治具１１０の基本的な構成は、実施例１で説明したはんだ付け用マスク治具１００と同じであるが、基板固定部材１０の代わりに基板固定部材１１を備えている点が、実施例１と異なる。
【００８５】
図７において、基板固定部材１１は、支持台１６ｂと、支持台１６ｂの上に設けられた、回路基板２を載置する回路基板置台部１８ａと、回路基板２の最外部を把持して固定する回路基板固定部１７ａと、支持台１６ｂの隅部４箇所に設けられたマスク部材支持部１５と、からなる。そして、回路基板置台部１８ａには、はんだ付け作業やはんだ付け修正作業を行った際に発生するはんだカスを基板固定部材１１の下方に落下させるための微細な穴が設けられている。
【００８６】
先に説明した実施例１では、図１に示したように、支持台１６の上に回転台１２が設置されて、この回転台１２の上に、回路基板固定部１７，１７と回路基板置台部１８を設けたが、実施例２では、図７に示すように、回路基板固定部１７ａ，１７ａと回路基板置台部１８ａは、支持台１６ｂの上に設けられる。そして、回路基板固定部１７ａ，１７ａと回路基板置台部１８ａの位置が固定されている点が、実施例１と異なっている。
【００８７】
次に、はんだ付け用マスク治具１１０の作用について、図７を用いて説明する。
【００８８】
まず、はんだ付け修正作業を行う作業者は、はんだ付け作業が完了した回路基板２を、回路基板置台部１８ａに載置する。このとき、作業者は、図７に示すように、蝶番１９を支点としてマスク部材２０を持ち上げて、回路基板置台部１８ａの両端に設けられた回路基板固定部１７ａ，１７ａに、回路基板２の両端部を引っ掛けて固定する。このとき、回路基板２は、はんだ付けの修正を行う面が上側に向けて固定される。
【００８９】
回路基板２が固定されると、持ち上げられたマスク部材２０が下ろされる。このとき、マスク板２２に設けられた開口部２６，２７を通して、回路基板２の一部が、外部に露出した状態となる。
【００９０】
開口部２６，２７は、ともに円形状となっているため、作業者は、３６０°いずれの方向からでも、開口部２６，２７を通して露出した回路基板２の状態を目視することができる。
【００９１】
そして、作業者は、回路基板２を覗き込みながら、マスク板２２を回転させて、回路基板２上のはんだ付けの状態をチェックする。
【００９２】
回路基板２の中にはんだ付けの修正が必要な箇所を発見したとき、作業者は、マスク板２２を回転させて、はんだ付けの修正が行いやすい位置に開口部２６または開口部２７を移動させ、その開口部２６、または開口部２７を通して、回路基板２の中のはんだ付けの修正を要する箇所が露出するようにする。
【００９３】
その後、蓋２８を摺動させて、開口部２６，２７のうち、はんだ付けの修正作業に不要な開口部を塞ぐ。
【００９４】
そして、作業者は、蓋２８に覆われていない、開口部２６、または開口部２７からはんだごてを差し入れて、回路基板２の上で、必要なはんだ付けの修正作業を行う。
【００９５】
はんだ付けの修正作業が終了すると、マスク板２２を再び回転させて、回路基板２の中のはんだ付けの修正が必要な箇所を探索する。この工程は、回路基板２の全体の確認が完了するまで行われる。
【００９６】
そして、回路基板２の全体の確認、およびはんだ付けの修正が完了すると、マスク部材２０が蝶番１９を支点として持ち上げられる。そして、回路基板２が回路基板固定部１７ａから取り外される。
【００９７】
次に、回路基板２を裏返しに固定して、同様にしてはんだ付けの状態確認と、はんだ付けの修正作業が行われる。
【００９８】
このとき、回路基板２の反対側の面を上に向けて回路基板置台部１８ａに載置して回路基板固定部１７ａに取り付ける際、回路基板２を裏返したときに、はんだ付け修正作業によって発生して、回路基板２の上に溜まったはんだカスが、回路基板置台部１８ａの微細な穴と、外枠部３２に設けられた網目部３６と、を通過して、はんだカス受部３４に落下する。
【００９９】
回路基板２の反対側の面が上に向けて固定されると、持ち上げられたマスク部材２０が再び下ろされて、回路基板２の反対側の面に対して、先に説明したのと同様にして、はんだ付けの状態確認と、はんだ付けの修正作業が行われる。その内容は、先に説明した通りであるため、説明は省略する。
【０１００】
そして、回路基板２の全体の確認、および、はんだ付けの修正作業が完了すると、作業者は、マスク部材２０を蝶番１９を支点として持ち上げて、回路基板２を回路基板固定部１７ａから取り外す。このとき、回路基板２に溜まったはんだカスは、回路基板２を回路基板置台部１８ａの上で裏返しにすることによって、はんだカス受部３４に落下する。
【０１０１】
以上、説明したように、実施例２に係るはんだ付け用マスク治具１１０によれば、位置調整部であるマスク板２２を回転して、マスク板２２に設けられた開口部２６，２７の位置を、回路基板置台部１８ａに固定された回路基板２の中の、はんだ付けを行う位置、あるいは、はんだ付けの修正を行う位置に合わせるため、はんだ付け用マスク治具１１０の外部から、はんだ付けを行う位置、あるいは、はんだ付けの修正を行う位置に対してはんだごてを容易に当てることができ、これによって、はんだ付け作業やはんだ付け修正作業の作業性を向上させることができる。
【０１０２】
なお、実施例２では、位置調整部であるマスク板２２のみを回転して、マスク板２２に設けられた開口部２６，２７の位置を、支持台１６ｂに設けた回路基板置台部１８ａに固定された回路基板２の中のはんだ付け作業を行う位置、あるいは、はんだ付け修正作業を行う位置に合わせたが、これは、図１に示した位置調整部であるマスク板２２を固定して、位置調整部である回転台１２のみを回転して、マスク板２２に設けられた開口部２６，２７の位置を、基板固定部材１０に固定された回路基板２の中のはんだ付けを行う位置に合わせるようにしてもよい。
【０１０３】
このように構成されたはんだ付け用マスク治具１１０によれば、位置調整部であるマスク板２２を回転して、マスク板２２に設けられた開口部２６，２７の位置を、基板固定部材１０に固定された回路基板２の中のはんだ付けを行う位置に合わせるため、はんだ付け作業やはんだ付け修正作業の作業性を向上させることができる。
【０１０４】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。さらに、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。さらに、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【０１０５】
２    回路基板
１０  基板固定部材
１２  回転台（位置調整部）
１４  回転台支持部
１６  支持台
１６ａ,２５ａ  貫通穴
１７  回路基板固定部
１８  回路基板置台部
１９  蝶番
１９ａ，１９ｂ  取付片
２０  マスク部材
２２  マスク板（位置調整部）
２４  マスク板支持部
２５  マスク板支持台
２６，２７  開口部
２８  蓋
２９  蓋支持部
３０  ベース部
３２  外枠部
３４  はんだカス受部
３６  網目部
３８  取っ手
１００  はんだ付け用マスク治具
【図１】
2014082308.tif 000003
【図２】
2014082308.tif 000004
【図３】
2014082308.tif 000005
【図４】
2014082308.tif 000006
【図５】
2014082308.tif 000007
【図６】
2014082308.tif 000008
【図７】
2014082308.tif 000009